(57)【特許請求の範囲】
【請求項１】
身体に装着及び脱着することができるようになっている貼り薬用着用具であって、着用具本体は、複数の貫通部を備えた背面部を有し、貼り薬は、薬剤が塗布された粘着面により前記背面部の外側における任意の位置に保持され、前記粘着面は、少なくとも１つの前記貫通部を通じて前記背面部の内側に露出していることを特徴とする貼り薬用着用具。
【請求項２】
前記背面部には、略網目状の線材によって貼り薬貼着部が構成されていることを特徴とする請求項１に記載の貼り薬用着用具。
【請求項３】
前記貼り薬貼着部に貼り薬を保持する位置を案内する目印を設けたことを特徴とする請求項２に記載の貼り薬用着用具。
【請求項４】
前記着用具本体の前面部には、装着ないし着衣位置を案内する着衣案内目印が設けられていることを特徴とする請求項１ないし３のいずれか一項に記載の貼り薬用着用具。
【請求項５】
前記着衣案内目印は、少なくとも一部に使用者の身体の特定の部位との位置が対応する基点が設けられていることを特徴とする請求項４に記載の貼り薬用着用具。
【発明の詳細な説明】
【技術分野】
【０００１】
本発明は、貼り薬を一人で貼る事が出来る貼り薬貼り具に関する。特に、他人の手を煩わすことなく、一人で簡単に貼ることができるようにした貼り薬貼り具に関する。
【背景技術】
【０００２】
従来、湿布の裏面を両面テープ等で肌着の内側に貼り付け、着用することで肩、背中、腰等に一人で貼ることができるものがある（例えば、特許文献１参照）。
【０００３】
また、柄の先にローラーが付いており、ローラーの外周に湿布を添わせ、患部に当て移動させることで、一人で背中に湿布を貼付することが出来る湿布薬貼付具もある（例えば、特許文献２参照）。
【０００４】
その他、湿布を付けた湿布貼り具を任意の位置にセットし、背中を押しつけることにより湿布を貼付するものもある（例えば、特許文献３参照）。
【先行技術文献】
【特許文献】
【０００５】
【特許文献１】特開２００９―１８５０１３号公報
【特許文献２】特開２００９―２０１９５７号公報
【特許文献３】特開２００２―２８２５０号公報
【発明の概要】
【発明が解決しようとする課題】
【０００６】
しかしながら、肌着の内側に貼る特許文献１に記載の肌着に貼る湿布にあっては、湿布の裏側に粘着面を設けなくてはいけないだけでなく、肌着を着用する際に湿布と使用者の身体とに接着力が生じ、ずれることで湿布が剥がれたり目的の位置に貼りつける事ができないという問題がある。
【０００７】
また、湿布を貼り付ける器具として特許文献２のような湿布薬貼付具があるが、湿布をローラー部分に仮止めする必要があり、そのうえ身体の貼付位置に貼付する操作も必要である。そして、これら湿布薬貼り付け具は、ローラー部分の構造が複雑なため、生産コストが高くなるという虞がある。
【０００８】
特許文献３の湿布を貼り付ける器具にあっては、使用者が、任意の位置に設けられた湿布を付けた湿布貼り具に向かって、背中を押しつける必要があり、身体の所望の貼付位置に正確に貼付することが困難であるという虞がある。
【０００９】
本発明は、このような問題点に着目してなされたもので、使用者がきわめて容易に所望の貼付位置に貼り薬を貼付することができ、また剥離することができ、更に特別な器具を必要とせずに量産に適した貼り薬貼り具  貼り薬着用具を提供することを目的とする。
【課題を解決するための手段】
【００１１】
本発明の貼り薬用着用具は、身体に装着及び脱着することができるようになっている貼り薬用着用具であって、着用具本体は、複数の貫通部を備えた背面部を有し、貼り薬は、薬剤が塗布された粘着面により前記背面部の外側における任意の位置に保持され、前記粘着面は、少なくとも１つの前記貫通部を通じて前記背面部の内側に露出していることを特徴としている。
この特徴によれば、着用具本体の背面部の貫通部を介して貼り薬の薬剤が塗布された粘着面を背面部の外側より内側に露出させるようにして、貼り薬を着用具本体に保持させたので、粘着面が背面部と絡み合い、貼り薬の着用具本体に対する保持力を高めることができる。また、貫通部を複数設けることにより、保持力がさらに強固となるばかりでなく、背面部の任意の箇所に貼り薬を設置できる。そして、着用具を脱げば背面部に保持された貼り薬を患部から剥離することができる。
【００１２】
前記背面部には、略網目状の線材によって貼り薬貼着部が構成されていることを特徴としている。
この特徴によれば、線材が略網目状に配置されることで貼り薬貼着部を形成し、線材に貼り薬が保持され、線材の隙間である略網目状の貫通部が形成され、この貫通部を通じて身体へ接着させることができるようになり、貫通部を覆うように貼り薬を保持させることができる。
【００１３】
前記貼り薬貼着部に貼り薬を保持する位置を案内する目印を設けたことを特徴としている。
この特徴によれば、貼り薬貼着部に目印が付いていることで貼りつける位置の目安を示すことができ、目印に貼り薬等を貼付することで、所望の位置に的確に貼ることができる。
【００１４】
前記着用具本体の前面部には、装着ないし着衣位置を案内する着衣案内目印が設けられていることを特徴としている。
この特徴によれば、着衣案内目印に合わせて着衣することで毎回同位置へ着用具を着衣することができ、毎回容易に所望位置に的確に貼ることができる。
【００１５】
前記着衣案内目印は、少なくとも一部に使用者の身体の特定の部位との位置が対応する基点が設けられていることを特徴としている。
この特徴によれば、身体の特定の部位に基点をセットした後、着用具本体を着衣位置案内目印に合わせて着衣することにより、更に正確に同位置に着用具本体を着衣することができ、基点が使用者の体の部位と対応することにより、各使用者の体格等に合わせて適宜着衣位置を決める事ができる。
【図面の簡単な説明】
【００１６】
【図１】貼り薬貼り具を示す断面斜視図である。
【図２】貼り薬が貼り薬貼り具を介し患部に貼付された状態を示す側断面図である。
【図３】貼り具を脱着時の貼着部と貼り薬との患部への貼付状態が変化する様子を示す斜視図である。
【図４】貼り薬着用具を示す斜視図である。
【図５】着用具本体を示す斜視図である。
【図６】基点と身体の一部（例えばへそ）をあわせて着用具本体を着衣する様子を示す斜視図である。
【図７】円筒状の着用具を表す斜視図である。
【図８】実施例３における着用具本体を示す斜視図である。
【図９】実施例３における貼着部に貼り薬を保持することを示す斜視図である。
【図１０】実施例４における着用具本体を示す斜視図である。
【発明を実施するための形態】
【００１７】
本発明に係る貼り薬貼り具を実施するための形態を実施例に基づいて以下に説明する。
【実施例１】
【００１８】
実施例１に係る貼り薬貼り具につき、図１から図３を参照して説明する。図１の符号１は、本発明に適用された貼り具本体である。貼り具本体１は、貼り薬２を保持させる貼り薬貼着部３と、貼り薬２の粘着面４を貼り具本体１に通過させて使用者の身体へ貼付する為の空間である貫通部５とが設けられている。貼り薬貼着部３は、細い線材が略網目状に等間隔に複数配置され、貼り具本体１に貫通した孔部である貫通部５は、貼り薬貼着部３を枠とする空間で構成されており、貼り薬２は、粘着面４を貼り具本体１へ向けて貼り薬貼着部３に保持される。
【００１９】
貼り薬２は、貼り薬貼着部３に保持された後、使用者の所望する患部６へ貼り具本体１を貼付し、押圧するだけで貫通部５を通して患部６へ貼ることができるようになっており、貫通部５の面積は、貫通部５を構成する枠となる貼着部４の表面積より大きくなっている。貼り薬貼着部３を形成する線材は、比較的柔軟な変形しやすい部材（ポリエステルやナイロン、樹脂等）から構成されることが好ましい。
【００２０】
図２は、粘着面４が貫通部５を介して患部６へと貼付された様子を示している。貼り薬２を保持させる際には、貼り薬貼着部３の表面に粘着面４が貼付され、貼り薬貼着部３は、その粘着面４の変形により粘着面４内にめり込むようになっており、貼り薬貼着部３に貼着されていない粘着面４は、貫通部５を通じて患部６へ貼着するようになる。貼り薬貼着部３は、貼り薬２の粘着面４にめり込むようになっていることにより貼り具本体１に保持されており、粘着面４は、貼り薬２が使用者の身体へ向かって押圧されることで患部６へ貼付されるようになる。したがって粘着面４は、貼り薬２が押圧されるまでは完全には患部６へ貼付されることはない。例えば、使用者が貼り具本体１を位置決めした後、床や壁に貼り具本体１を押し付けることによって貼り薬２を押圧するようにしてもよい。
【００２１】
また、貫通部５の面積は貼り薬貼着部３の表面積より大きくなっているため、患部６と粘着面４との接着面積も増え、貼り薬の効能も増加し、粘着面４の吸着力も大きくなるばかりでなく、貼り薬貼着部３は変形しやすい部材から形成されていることから、身体が動いても身体に対応して追従し、貼り薬２が剥がれるのが防止される。
【００２２】
貼り薬２は、貼り具本体１へ保持されており、貼り薬２と患部６とは貫通部５を介して接着状態を保っているため、たとえば図３へ示すように、矢印方向へ貼り具本体１を患部６から剥がす場合、貼り薬貼着部３は矢印方向へ引き剥がすと、貼り薬２に対しては貼り薬貼着部３から患部６と粘着面４を剥がす力が作用することになり、貼り具本体１を剥がせば連動して貼り薬２も身体から剥がれることになる。また貼り薬貼着部３は、柔軟な部材から形成されていることにより、貼り具本体１を剥がす力は貼り薬貼着部３に集中するが、その力は貼着部３周辺の貼り薬２側に分散して伝わって、徐々に患部６から剥がされるようになるため、使用者は剥がす際の痛みが緩和される。
【００２３】
貼り具本体１は、貼り薬貼着部３とそれによって形成される貫通部５のみで構成されており、生産時においてコストがかからず、構造も簡素であるため量産化することができるだけでなく、貼り具本体１の構造が簡素であることから使用者も極めて容易に使用することができ、貼り薬２を簡単に貼付及び剥離することができる。
【００２４】
尚、貼り具本体１は、平面だけに限定されるものでなく、種々の形状とすることができる。たとえばコルセットの様な略円筒状で一方から身体を挿入して装着するような形状の貼り具本体１にし、主に身体の背中や腰などの患部６に覆うように使用してもよい。その場合、貼り薬貼着部３を形成する部材は比較的伸縮性の高い素材を使用してもよく、このことにより貼り薬２は、身体の動きにより追従して貼付状態を保つことができる。（図７に図示）
【００２５】
貼り薬貼着部３は、細い線材で略網目状に等間隔に複数配置されて構成されているが、これに限られるものでなく、貼り薬貼着部３は、孔部を有した面状のものでもよいし、略碁盤状に配置されてもよい。
【実施例２】
【００２６】
次に、実施例２に係る貼り薬貼り具につき、図４から図６を参照して説明する。尚、前記実施例と同一構成で重複する構成を省略する。
【００２７】
実施例２における貼り薬貼り具は、主に一つの着用具本体として表現されており、図４は、本発明の実施例２の着用具本体７を表す斜視図であり、着用具本体１を使用者が着衣して利用するもので、着用具本体７の着脱とともに貼り薬が着脱されるものである。
【００２８】
図４に示すように着用具本体７は、背面側に設けられた貼り具本体１と、左右の部材に分けられて成る着用具前面部８で構成されている。着用具前面部８には、左右の着用具前面部８を留め合わせる留め具９が着用具前面部８の前面部端部１０に設けられており、着用具前面部８には、毎回同じ位置に着用具本体７を着衣するための位置を合わせる目印となる基点１１と基点１１´が設けられており、基点１１、１１´は５本のラインを縦型に設けられている。
【００２９】
基点１１、１１´は、前面部端部１０から順に位置が対応して形成され、対応し合う任意の２つの基点１１、１１´を照合し使用者の身体の一部、例えば、へそ１２に合わせて、毎回着用具本体７を着衣するようになっている。例えば、基点１１、１１´をへそ１２に合わせて着用具本体７を着衣することにより、毎回同じ位置で着用具本体７を着衣することができる。（図６に図示）
【００３０】
本実施形態では、留め具９と基点１１、１１´とが別々に分けられているが、留め具９をへそ１２に合わせる基点１１として利用できるようにしてもよく、基点１１、１１´のラインは５本となっているが、基点１１、１１´の本数や形状を適宜変更できるようになっている。
【００３１】
また、基点１１、１１´は着用具本体７が使用者にフィットする位置を決め、決めた位置で左右の着用具前面部８に自ら印を付けることで成されているようにしてもよいことは言うまでもない。更に、対応し合う基点１１、１１´は色分けや符号を振ってわかりやすく区別して利用してもよい。
【００３２】
図５に示すように、貼り薬２は、まず貼り具本体１に貼付される。その後着用具本体７を着衣することにより、貼り薬２が貼り具本体１と共に患部６に向けて貼付される。患部６と貼り薬２との間に貼り薬貼着部３が介在するようになり、貼り薬２の薬剤を含有した粘着面４は、貼り薬貼着部３に付着し、保持されるようになる。貼り薬２が保持された状態で着用具本体１を着衣することにより、貼り薬２は患部６の箇所に位置し、外側から押圧すると粘着面４は、貫通部５を挿通して患部６へと接着されるようになる。
【００３３】
着用具本体７の脱衣時には、着用具本体７を、身体の表面から剥ぐと、貼り具本体１は着用具本体７に付随して身体から剥がされる。そうすると、貼り薬貼着部３には、貼り薬２を抑える効果が生じ、貼り薬貼着部３に保持された貼り薬２は、着用具本体７に連動して身体の外側方向に移動するようになる。したがって使用者が着用具本体７を脱衣することにより、貼り具本体１が患部６から離れ、患部６から貼り薬２を剥離するようになる。つまり、使用者が貼り薬２を取り外したいと思うタイミングで着用具本体７を脱衣すれば、適宜貼り薬２を剥離することができる。さらに、貼り薬貼着部３は、柔軟な部材から形成されていることにより、貼り具本体１を剥がす力は貼り薬貼着部３に集中するが、その力は貼着部３周辺の貼り薬２側に分散して伝わって、徐々に患部６から剥がされるようになるため、使用者は剥がす際の痛みが緩和される。
【００３４】
貼り薬貼着部３には、貼りたいと望む任意の患部６と重なる貼り薬貼着部３の所定箇所に、その目印１７を付加している。目印１７を付加する際には、前述したようにまず着用具本体７を基点１１と１１´とを身体の一部、例えば、へそ１２などに重ね、着用具本体７を着衣したとき、所定の患部６と重なる貼り薬貼着部３の位置に目印１７を付加する。
【００３５】
目印１７をつけた後、貼り薬２を目印１７の上に貼りつけ、着用具本体７を着衣することで毎回同じ患部６に貼り薬２を貼ることができるようになっている。目印１７をつけることにより、毎回貼る位置を探さなくてもよくなる。
【００３６】
尚、実施形態では、「×」や「※」印などの目印１７をつけるようになっているが、目印１７としてはこのようなものだけでなく、身体の部位を表す名称や器官名またはそれらを示す表記などでもよい。
【００３７】
尚、前述したように貫通部５の面積が枠となる貼り薬貼着部３の表面積より大きいことで、外部から貼り薬２の貼付位置となる患部７を目視できるようになる効果もある。このように外部から患部６を目視できることにより、第三者から貼り薬貼着部３に目印１７を付加してもらう場合、第三者は、的確に目印１７を付加することが容易になる。
【００３８】
また、着用具本体７は、上半身又は下半身全体を覆うようなものだけでなく、身体の部位やその一部を覆うようなものでもよく、身体の部位やその一部を覆うような形状であることにより、貼り薬２を貼り具本体１へ保持させた後、貫通部５が患部６へ合わせるように調整することで、使用者が望む所定位置へと容易に貼り薬２を適宜移動調整することができ、位置決めをした後外側から押圧することで貼り薬２は、身体と接着した状態になることができる。
【００３９】
尚、着用具本体７を構成する各部材が、種々の素材で形成されてもよいし、本実施例では、着用具前面部８は貼り薬貼着部３で構成されていないが、着用具前面部８にも略網目状に配置された貼り薬貼着部３を形成し、着用具本体７の全体に貼り薬２を設置できるようにしてもよい。
【００４０】
また、外側からの押圧手段として、着用具本体７を着衣し患部６に設置したことを確認した後、使用者が仰向けに寝ることにより使用者の自重と地面とで圧迫し、患部６と貼り薬２とを接着させてもよい。また、本実施例で着用具本体７は略ベスト型の形状を成しているが、一般的な下着のように三分丈程度の袖を形成してもよいし、長袖を形成してもよく、各使用者の好みや季節等に合わせて適宜変更できることは言うまでもない。
【実施例３】
【００４１】
次に、実施例３に係る貼り薬着用具につき、図８から図９を参照して説明する。尚、前記実施例と同一構成で重複する構成を省略する。
【００４２】
図８に示すように、貼り具本体１の背面側には、貼り薬貼着部３が設けられており、貼り薬貼着部３には縦に等間隔の配置で穿設されたスリット孔１３が設けられている。スリット孔１３が設けられたことにより、貼り薬貼着部３には貼り薬貼着部３ａと貼り薬貼着部３ｂが形成され、貼り薬貼着部３は、交互に貼り薬貼着部３ａ，３ｂ，３ａ，３ｂ，・・・と順に配置が成されている。
【００４３】
貼り薬貼着部３は貼り薬２を保持するが、貼り薬２は、貼り薬貼着部３ａと３ｂとの間にあるスリット孔１３を通り、貼り薬貼着部３ａと３ｂとをぐし縫い状に保持されるようになっており、たとえば貼り薬２の粘着面４が貼り薬貼着部３ａに保持されている場合には、貼り薬２の裏面である貼り薬基部１４が貼り薬貼着部３ｂに接するようになっている。このように貼り薬２が、貼り薬貼着部３にぐし縫い状に保持されることにより、貼り薬２が貼り薬貼着部３ａと３ｂとに比較的強固に保持される。（図９に図示）
【００４４】
貼り薬２を貼り薬貼着部３に保持した後、着用具本体７を着衣することにより、粘着面４が直接およびスリット孔１３を介して患部６へ接着される。本実施形態では、貼り薬２が貼り薬貼着部３にぐし縫い状に保持され、貼り薬貼着部３において貼り薬２の保持状態が強固になっており、また貼り薬貼着部３ｂが貼り薬２を貼り薬基部１４側から押さえるような効果が生じる。このことにより、貼り薬２が貼り薬貼着部３に安定して保持されるだけでなく、患部６と貼り薬２との間に介在する貼り薬貼着部３が少なくなるため貼り薬２の効果も向上し、患部６との接着部が大きくなることで、貼り薬２の患部６への吸着力も大きくなり、安定した接着状態を保つことができる。
【００４５】
尚、本実施例では貼り薬貼着部３にスリット孔１３が穿設されているが、貼り薬貼着部３は、細長の板状の部材で構成され等間隔に配置されていてもよい。また、本実施例では縦型に貼り薬貼着部３が形成されているが、横型の貼り薬貼着部３を設けてもよいし、斜めに貼り薬貼着部３を設けてもよい。また、貼り薬貼着部３細くしスリット孔１３を広くしても良い。また、貼り薬２をぐし縫い状に保持せずそのまま保持してもよいことは言うまでもない。
【実施例４】
【００４６】
次に、実施例４に係る貼り薬着用具につき、図１０を参照して説明する。尚、前記実施例と同一構成で重複する構成を省略する。
【００４７】
図１０に示すように、貼り薬貼着部３には、窓状に切り抜かれた切抜貫通部１５が設けられており、切抜貫通部１５は貼り薬２より若干小さく、且つ平面視で略同形に設けられている。また、貼り薬貼着部３には、切抜貫通部１５の外周に貼り薬６の貼付位置を案内する貼り薬案内表示１６が設けられている。
【００４８】
貼り薬２は、切抜貫通部１５を覆うように貼り薬案内表示１６に沿って貼り薬貼着部３へと保持されており、着用具本体７を着用した後、患部６に向かって押圧することにより粘着面４が患部７へ接着されるようになる。また、着用具本体７を脱着することにより、患部６より貼り薬２が剥離される。
【００４９】
貼り薬２は、貼り薬案内表示１６に沿って貼り薬貼着部３へと保持されることにより、貼り薬２が切抜貫通部１５の外周へと安定して保持され、切抜貫通部１５が貼り薬２より若干小さく略同形に設けられていることにより、患部６へ接着する貼り薬２の有効範囲も大きくなり、貼り薬２の効果も向上する。
【００５０】
また、着用具本体７を装着し、押圧することで貼り薬２が切抜貫通部１５を介し患部６へ接着することができ、さらに着用具本体７を脱着することで貼り薬２が貼り薬貼着部３と連動して患部６より剥離されるようになるため、使用者は容易かつ時間を掛けず貼り薬２の接着及び剥離を適宜行うことができるようになる。
【００５１】
尚、本実施例では着用具本体７を略ベスト形状としているが、これに限られるものではなく、例えば、サポータやコルセットや肩パット、マフラー等の身体の一部を覆うものでもよい。また、身体に面ファスナーやボタン等の固定手段を有するものや巻いたり、被ったりするものでもよいことは言うまでもない。
【００５２】
以上、本発明の実施例を図面により説明してきたが、具体的な構成はこれら実施例に限られるものではなく、本発明の要旨を逸脱しない範囲における変更や追加があっても本発明に含まれる。
【符号の説明】
【００５３】
１                貼り具本体
２                貼り薬
３、３ａ、３ｂ    貼り薬貼着部
５                貫通部
７                着用具本体
１１              基点
１３              スリット孔
１５              切抜貫通孔
１６              貼り薬表示案内
【図１】
0005896348.tif 000002
【図２】
0005896348.tif 000003
【図３】
0005896348.tif 000004
【図４】
0005896348.tif 000005
【図５】
0005896348.tif 000006
【図６】
0005896348.tif 000007
【図７】
0005896348.tif 000008
【図８】
0005896348.tif 000009
【図９】
0005896348.tif 000010
【図１０】
0005896348.tif 000011